(57)【要約】      （修正有）【課題】記録媒体を用いて広告用ＷＥＢサイトへのアクセスを促す広告表示システムを提供する。【解決手段】情報端末１００は、広告用ＷＥＢサイトへの自動アクセス用情報と、配布者特定情報とを含んだ広告コードを記録した記録媒体を読み取る読み取り手段と、広告コードを読み取ったときに、広告コードを用いて広告用ＷＥＢサイトの運営サーバーへアクセスして、広告用ＷＥＢサイトを表示する広告用ＷＥＢサイト表示手段とを備え、広告用ＷＥＢサイトの運営サーバー２００は、広告用ＷＥＢサイトへのアクセスがあった場合に、アクセスに用いられた広告コードに含まれる配布者特定情報に基づいて、配布者を特定する配布者特定手段と、特定した記録媒体の配布者によって広告用ＷＥＢサイトへのアクセスが誘導されたアクセス者による操作が、配布者に対する広告報酬の発生条件を満たしたときに、配布者に対する広告報酬を発生させる報酬発生手段とを備える。【選択図】図１
2014059785.tif 000002
【特許請求の範囲】
【請求項１】
ユーザーが操作する情報端末と、広告用ＷＥＢサイトの運営サーバーとで構成される広告表示システムであって、
前記情報端末は、
広告用ＷＥＢサイトへの自動アクセス用情報と、前記記録媒体を配布した配布者を特定するための配布者特定情報とを含んだ広告コードを記録した記録媒体を読み取る読み取り手段と、
前記読み取り手段で前記記録媒体内から前記広告コードを読み取ったときに、前記広告コードを用いて前記広告用ＷＥＢサイトの運営サーバーへアクセスして、表示装置に前記広告用ＷＥＢサイトを表示する広告用ＷＥＢサイト表示手段とを備え、
前記広告用ＷＥＢサイトの運営サーバーは、
前記情報端末から前記広告用ＷＥＢサイトへのアクセスがあった場合に、アクセスに用いられた前記広告コードに含まれる前記配布者特定情報に基づいて、前記記録媒体の配布者を特定する配布者特定手段と、
前記配布者特定手段が特定した前記記録媒体の配布者によって前記広告用ＷＥＢサイトへのアクセスが誘導されたアクセス者による操作が、前記記録媒体の配布者に対する広告報酬の発生条件を満たしたときに、前記記録媒体の配布者に対する広告報酬を発生させる報酬発生手段とを備えることを特徴とする広告表示システム。
【請求項２】
請求項１に記載の広告表示システムにおいて、
前記広告用ＷＥＢサイトの運営サーバーは、
前記報酬発生手段による広告報酬の発生履歴を前記記録媒体の配布者ごとに記録する報酬発生履歴記録手段と、
所定のタイミングで、前記報酬発生履歴記録手段によって記録された前記広告報酬の発生履歴を集計し、集計結果に基づいて、前記記録媒体の配布者に対する広告報酬額を算出する報酬額算出手段とをさらに備えることを特徴とする広告表示システム。
【請求項３】
請求項２に記載の広告表示システムにおいて、
前記広告用ＷＥＢサイトの運営サーバーは、
前記操作端末からの要求に応じて、前記報酬発生履歴記録手段によって記録された前記広告報酬の発生履歴と、前記報酬額算出手段によって算出された前記広告報酬額の少なくとも一方を報酬情報として前記情報端末へ送信する報酬情報送信手段をさらに備え、
前記情報端末は、前記広告用ＷＥＢサイトの運営サーバーから受信した前記報酬情報を前記表示装置に表示する報酬情報表示手段をさらに備えることを特徴とする広告表示システム。
【請求項４】
請求項１〜３のいずれか一項に記載の広告表示システムにおいて、
前記報酬発生手段は、前記アクセス者が前記広告用ＷＥＢサイト上で決済操作を行ったときに、前記記録媒体の配布者に対する広告報酬の発生条件を満たしたと判定することを特徴とする広告表示システム。
【請求項５】
請求項４に記載の広告表示システムにおいて、
前記報酬発生手段は、前記アクセス者による決済額に対する所定割合の金額を広告報酬額として算出して、前記広告報酬を発生させることを特徴とする広告表示システム。
【請求項６】
請求項１〜５のいずれかに記載のコンピュータで読み取り可能な記録媒体であって、
広告用ＷＥＢサイトへの自動アクセス用情報と、前記記録媒体を配布した配布者を特定するための配布者特定情報とを含んだ広告コードと、
前記記録媒体がコンピュータで読み取られたときに、前記コンピュータに、前記広告コードを用いて前記広告用ＷＥＢサイトへ自動アクセスさせるための情報とを記録した記録媒体。
【請求項７】
請求項１〜６のいずれかに記載の広告用コードを記録した記録媒体を作成するための記録媒体作成装置であって、
広告用ＷＥＢサイトへの自動アクセス用情報と、前記記録媒体を配布した配布者を特定するための配布者特定情報とを含んだ広告コードの指定を受け付ける受付手段と、
前記記録媒体がコンピュータで読み取られたときに、前記受付手段で受け付けた前記広告コードを用いて前記広告用ＷＥＢサイトへ自動アクセスさせるための情報を前記記録媒体に記録するアクセス情報記録手段とを備えることを特徴とする記録媒体作成装置。
【発明の詳細な説明】
【技術分野】
【０００１】
本発明は、広告表示システム、記録媒体、および記録媒体作成装置に関する。
【背景技術】
【０００２】
次のような広告管理システムが知られている。この広告管理システムは、広告ファイルの閲覧回数やダウンロード回数に基づいて、広告媒体の提供者に対する報酬額を算出する（例えば、特許文献１）。
【先行技術文献】
【特許文献】
【０００３】
【特許文献１】特開２００８−１０８０５７号公報
【発明の概要】
【発明が解決しようとする課題】
【０００４】
しかしながら、従来の広告管理システムでは、報酬を得るためには、閲覧者を広告ファイルを閲覧するための広告サイトへ誘導する必要があるが、その方法については何ら検討されていなかった。
【課題を解決するための手段】
【０００５】
本発明による広告表示システムは、ユーザーが操作する情報端末と、広告用ＷＥＢサイトの運営サーバーとで構成され、情報端末は、広告用ＷＥＢサイトへの自動アクセス用情報と、記録媒体を配布した配布者を特定するための配布者特定情報とを含んだ広告コードを記録した記録媒体を読み取る読み取り手段と、読み取り手段で記録媒体内から広告コードを読み取ったときに、広告コードを用いて広告用ＷＥＢサイトの運営サーバーへアクセスして、表示装置に広告用ＷＥＢサイトを表示する広告用ＷＥＢサイト表示手段とを備え、広告用ＷＥＢサイトの運営サーバーは、情報端末から広告用ＷＥＢサイトへのアクセスがあった場合に、アクセスに用いられた広告コードに含まれる配布者特定情報に基づいて、記録媒体の配布者を特定する配布者特定手段と、配布者特定手段が特定した記録媒体の配布者によって広告用ＷＥＢサイトへのアクセスが誘導されたアクセス者による操作が、記録媒体の配布者に対する広告報酬の発生条件を満たしたときに、記録媒体の配布者に対する広告報酬を発生させる報酬発生手段とを備えることを特徴とする。
本発明による記録媒体は、広告用ＷＥＢサイトへの自動アクセス用情報と、記録媒体を配布した配布者を特定するための配布者特定情報とを含んだ広告コードと、記録媒体がコンピュータで読み取られたときに、コンピュータに、広告コードを用いて広告用ＷＥＢサイトへ自動アクセスさせるための情報とを記録することを特徴とする。
本発明による記録媒体作成装置は、広告用ＷＥＢサイトへの自動アクセス用情報と、記録媒体を配布した配布者を特定するための配布者特定情報とを含んだ広告コードの指定を受け付ける受付手段と、記録媒体がコンピュータで読み取られたときに、受付手段で受け付けた広告コードを用いて広告用ＷＥＢサイトへ自動アクセスさせるための情報を記録媒体に記録するアクセス情報記録手段とを備えることを特徴とする。
【発明の効果】
【０００６】
本発明によれば、記録媒体内に記録された広告コードに含まれる自動アクセス用情報に基づいて、自動的に広告用ＷＥＢサイトの運営サーバーへアクセスさせることができるため、容易に閲覧者を広告用ＷＥＢサイトへ誘導することができる。また、広告用ＷＥＢサイトの運営サーバーでは、広告コードに含まれる配布者特定情報に基づいて記録媒体の配布者を特定して、容易に配布者に対する報酬発生の検出、および報酬額の算出を行うことができる。
【図面の簡単な説明】
【０００７】
【図１】広告表示システム１０の一実施の形態の構成を示すブロック図である。
【図２】情報端末１００の一実施の形態の構成を示すブロック図である。
【図３】サーバー２００の一実施の形態の構成を示すブロック図である。
【図４】ａｕｔｏｒｕｎ．ｉｎｆ内に記録された自動実行コード、および自動実行用ＨＴＭＬファイルのヘッダ部に記録された広告コードの具体例を示す図である。
【図５】情報端末１００の処理を示すフローチャート図である。
【図６】サーバー２００の処理を示すフローチャート図である。
【発明を実施するための形態】
【０００８】
図１は、本実施の形態における広告表示システムの一実施の形態の構成を示すブロック図である。広告表示システム１０は、情報端末１００とサーバー２００とがインターネットや携帯電話網等の通信網を介して接続されることにより構成される。
【０００９】
図２は、本実施の形態における情報端末１００の一実施の形態の構成を示すブロック図である。情報端末１００としては、例えば、パーソナルコンピュータが用いられる。情報端末１００は、操作部材１０１と、ドライブ装置１０２と、制御装置１０３と、記録装置１０４と、モニタ１０５と、通信装置１０６とを備えている。
【００１０】
操作部材１０１は、情報端末１００の操作者によって操作される種々の装置、例えばキーボードやマウスを含む。
【００１１】
ドライブ装置１０２は、ＣＤ−ＲＯＭ、ＤＶＤ−ＲＯＭ、ＢＤ−ＲＯＭ等の読み取り専用ディスク１０２ａからの情報の読み出し、およびＣＤ−Ｒ、ＤＶＤ−Ｒ、ＤＶＤ−ＲＡＭ、ＢＤ−Ｒ等の書き込み可能なディスク１０２ａからの情報の読み出しや情報の書き込みを行うためのディスクドライブ装置である。
【００１２】
制御装置１０３は、ＣＰＵ、メモリ、およびその他の周辺回路によって構成され、情報端末１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、ドライブ装置１０２を介してディスク１０２ａから読み込まれたデータは、バッファメモリに一時的に記録される。
【００１３】
記録装置１０４は、情報端末１００が蓄える種々のデータや、制御装置１０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記録装置が用いられる。なお、記録装置１０４に記録されるプログラムのデータは、ＣＤ−ＲＯＭ、ＤＶＤ−ＲＯＭ、ＢＤ−ＲＯＭなどのディスク１０２ａに記録されて提供され、使用者が当該ディスク１０２ａを用いてプログラムのデータを記録装置１０４にインストールすることによって、制御装置１０３がプログラムを実行できるようになる。
【００１４】
モニタ１０５は、例えば液晶モニタであって、制御装置１０３から出力される種々の表示用データが表示される。
【００１５】
通信装置１０６は、情報端末１００をインターネット等の通信回線に接続するための装置である。本実施の形態では、情報端末１００は、この通信装置１０６によりインターネット等の通信回線を介してサーバー２００と接続される。なお、通信装置１０６としては、情報端末１００を通信網に有線接続するための通信モジュールや、無線接続するための通信モジュールなどが用いられる。
【００１６】
図３は、本実施の形態におけるサーバー２００の一実施の形態の構成を示すブロック図である。サーバー２００は、広告用ＷＥＢサイトの運営サーバーであって、情報端末１００から、ＷＥＢブラウザ上で広告用ＷＥＢサイトのＵＲＬを指定することにより、サーバー２００上で運営されている広告用ＷＥＢサイトへのアクセスが可能となる。
【００１７】
サーバー２００は、操作部材２０１と、通信装置２０２と、制御装置２０３と、記録装置２０４と、モニタ２０５とを備えている。
【００１８】
操作部材２０１は、サーバー２００の操作者によって操作される種々の装置、例えばキーボードやマウスを含む。
【００１９】
通信装置２０２は、サーバー２００をインターネット等の通信回線に接続するための装置である。この通信装置２０２としては、サーバー２００を通信網に有線接続するための通信モジュールや、無線接続するための通信モジュールなどが用いられる。
【００２０】
制御装置２０３は、ＣＰＵ、メモリ、およびその他の周辺回路によって構成され、サーバー２００の全体を制御する。なお、制御装置２０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。
【００２１】
記録装置２０４は、サーバー２００が蓄える種々のデータや、制御装置２０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記録装置が用いられる。なお、記録装置２０４に記録されるプログラムのデータは、ＣＤ−ＲＯＭ、ＤＶＤ−ＲＯＭ、ＢＤ−ＲＯＭなどの記録媒体に記録されて提供され、使用者が当該記録媒体を用いてプログラムのデータを記録装置２０４にインストールすることによって、制御装置２０３がプログラムを実行できるようになる。
【００２２】
モニタ２０５は、例えば液晶モニタであって、制御装置２０３から出力される種々の表示用データが表示される。
【００２３】
ディスク１０２ａには、情報端末１００のドライブ装置１０２でディスク１０２ａが読み取られたときに自動的に実行される自動実行情報として、ａｕｔｏｒｕｎ．ｉｎｆを記録することができる。本実施の形態では、ディスク１０２ａとして、安価でコストがかからないＣＤ−ＲＯＭを用いるようにし、ディスク１０２ａの配布者は、このａｕｔｏｒｕｎ．ｉｎｆの中に、ディスク１０２ａを受け取ったユーザーを広告用ＷＥＢサイトへアクセスさせるための自動アクセス用情報と、ディスク１０２ａの配布者を特定するための配布者特定情報とを含んだ広告コードが記録された自動実行用ＨＴＭＬファイルを自動実行させるための自動実行コードを記録しておくものとする。
【００２４】
図４（ａ）は、本実施の形態におけるａｕｔｏｒｕｎ．ｉｎｆ内に記録された自動実行コードの具体例を示す図である。ａｕｔｏｒｕｎ．ｉｎｆ内への自動実行コードの記録方法は公知であるため、ここでは本発明特有の自動実行コードの記録例を中心に説明する。図４（ａ）に示すａｕｔｏｒｕｎ．ｉｎｆ内の情報では、ＵＲＬ情報４ａとして自動実行用ＨＴＭＬファイルを特定するための情報が記録されている。すなわち、図４（ａ）に示す例では、「ａｂｃ．ｈｔｍｌ」が上述した自動実行用ＨＴＭＬファイルを特定するための情報であり、図４（ａ）に示すａｕｔｏｒｕｎ．ｉｎｆによって、制御装置１０３は、ドライブ装置１０２でディスク１０２ａが読み取られたときに、ＨＴＭＬファイルを表示するためのアプリケーション、すなわちブラウザアプリケーションを自動起動して、ファイル名が「ａｂｃ．ｈｔｍｌ」である自動実行用ＨＴＭＬファイルをディスク１０２ａから読み出す。
【００２５】
本実施の形態では、ディスク１０２ａの配布者は、ＵＲＬ情報４ａにより特定される自動実行用ＨＴＭＬファイルのヘッダ部に、上述した広告コードを記録しておく。広告コードの具体例を図４（ｂ）に示す。
【００２６】
図４（ｂ）に示す例では、リダイレクト先のＵＲＬとして広告用ＷＥＢサイトのＵＲＬである「ＵＲＬ＝ｈｔｔｐ：／／ｗｗｗ．ａｂｃｄ．ｃｏｍ」と、この広告用ＷＥＢサイトへパラメータとして渡すディスク１０２ａの配布者を特定するためのＩＤである「ｉｄ＝１２３４５」とで構成される広告コード４ｂとを含んだリダイレクト用のＨＴＭＬコードがｍｅｔａタグに記録されている。
【００２７】
すなわち、図４（ｂ）に示す例では、リダイレクト先のＵＲＬである「ＵＲＬ＝ｈｔｔｐ：／／ｗｗｗ．ａｂｃｄ．ｃｏｍ」が上述した自動アクセス用情報に相当し、ディスク１０２ａの配布者を特定するためのＩＤである「ｉｄ＝１２３４５」が上述した配布者特定情報に相当する。そして、これらを「？」を用いて連結した「ＵＲＬ＝ｈｔｔｐ：／／ｗｗｗ．ａｂｃｄ．ｃｏｍ？ｉｄ＝１２３４５」が上述した広告コードに相当する。すなわち、本実施の形態における広告コードは、広告用ＷＥＢサイトのＵＲＬにディスク１０２ａの配布者を特定するためのＩＤをパラメータとして付したリダイレクト用のＨＴＭＬコードであるということができる。
【００２８】
本実施の形態では、制御装置１０３は、情報端末１００のドライブ装置１０２でディスク１０２ａが読み取られたときに図４（ａ）に示したａｕｔｏｒｕｎ．ｉｎｆを読み出して実行することにより、ＵＲＬ情報４ａに基づいて自動実行用ＨＴＭＬファイルを特定して、モニタ１０５上に表示したブラウザに表示させることができる。さらに、制御装置１０３は、自動実行用ＨＴＭＬファイルのヘッダ部にｍｅｔａタグとして記録されている広告コード、すなわち広告用ＷＥＢサイトのＵＲＬにディスク１０２ａの配布者を特定するためのＩＤをパラメータとして付したリダイレクト用のＨＴＭＬコードを用いて、広告用ＷＥＢサイトへ自動的にアクセスさせることができる。また、広告用ＷＥＢサイトへディスク１０２ａの配布者を特定するためのＩＤを送信することもできる。
【００２９】
図５は、本実施の形態における情報端末１００の処理を示すフローチャートである。図５に示す処理は、使用者によって情報端末１００の電源がオンされると起動するプログラムとして、制御装置１０３によって実行される。
【００３０】
ステップＳ１０において、制御装置１０３は、ドライブ装置１０２によってディスク１０２ａが読み取られたか否かを判断する。ステップＳ１０で肯定判断した場合には、ステップＳ２０へ進む。
【００３１】
ステップＳ２０では、制御装置１０３は、図４（ａ）に示したａｕｔｏｒｕｎ．ｉｎｆを読み出して実行することにより、ＵＲＬ情報４ａに基づいて自動実行用ＨＴＭＬファイルを特定して、ブラウザ上に表示させる。その後、ステップＳ３０へ進む。
【００３２】
ステップＳ３０では、制御装置１０３は、自動実行用ＨＴＭＬファイルのヘッダ部にｍｅｔａタグとして記録されている広告コードを読み出して、ステップＳ４０へ進む。
【００３３】
ステップＳ４０では、制御装置１０３は、ステップＳ３０で読み出した広告コードに基づいて、広告用ＷＥＢサイトへリダイレクトさせることにより、ブラウザ上に広告用ＷＥＢサイトを自動的に表示させる。その後、ステップＳ５０へ進む。
【００３４】
ステップＳ５０では、制御装置１０３は、情報端末１００の電源がオフされたか否かを判断する。ステップＳ５０で否定判断した場合には、ステップＳ１０へ戻る。これに対して、ステップＳ５０で肯定判断した場合には、処理を終了する。
【００３５】
次にサーバー２００の処理について説明する。サーバー２００では、制御装置２０３は、情報端末１００から広告用ＷＥＢサイトへのアクセスがあった場合には、アクセスに用いられた広告コードに含まれる配布者特定情報、すなわちリダイレクト用のＨＴＭＬコードに含まれるＩＤに基づいて、広告用ＷＥＢサイトへのアクセスに用いられたディスク１０２ａの配布者を特定する。そして、制御装置２０３は、広告用ＷＥＢサイトへのアクセスが誘導されたアクセス者があらかじめ設定した広告報酬の発生条件を満たす操作を行ったときに、ディスク１０２ａの配布者に対して広告報酬を発生させる。
【００３６】
本実施の形態では、例えば、制御装置２０３は、広告用ＷＥＢサイトへのアクセス者がそのサイトに掲載されている商品やサービスを購入し、決済処理を行ったときに、広告報酬の発生条件を満たしたと判定する。また、そのときに発生させる広告報酬の額は、例えば、決済額に対する所定の割合、例えば決済額の５％等とする。この決済額に対する報酬額の割合は、サイトに掲載されているすべての商品やサービスに対して一律に設定してもよいし、各商品やサービスに対して個別に設定してもよい。
【００３７】
制御装置２０３は、ディスク１０２ａの配布者ごとに、過去に発生した広告報酬の履歴を記録装置２０４に記録して管理し、所定のタイミングでこれを集計する。この集計タイミングは、あらかじめ設定されるものとし、例えば一月に一回所定の日に、または一週間に一回所定の曜日にといった任意のタイミングが設定される。制御装置２０３は、広告報酬の集計を行った場合には、集計額を記録装置に記録してディスク１０２ａの配布者ごとに管理するとともに、ディスク１０２ａの配布者への広告報酬の支払い処理を行う。広告報酬の支払い処理としては、公知の処理を用いる。例えば、あらかじめ登録されている銀行口座への自動振り込みを行うようにしてもよいし、集計結果を広告主または支払代行業者へ通知して、支払いを促すようにしても良い。本実施の形態では、制御装置２０３は、ディスク１０２ａの配布者を特定するためのＩＤに関連付けて、上述した広告報酬の履歴や広告報酬の集計結果を記録装置２０４に記録する。
【００３８】
また、本実施の形態では、ディスク１０２ａの配布者は、自身の広告報酬の発生状況をパソコンや携帯端末等の情報端末からサーバー２００にアクセスして確認することができる。例えば、ディスク１０２ａの配布者は、図２に示した情報端末１００と同様の情報端末を用いて、あらかじめ用意されている広告報酬の発生状況確認用サイトにアクセスし、自身のＩＤを入力してログインする。これにより、制御装置２０３は、アクセス者を特定することができる。
【００３９】
制御装置２０３は、ディスク１０２ａの配布者が広告報酬の発生状況確認用サイトにログインした場合には、その配布者向けの広告報酬の発生状況確認画面を表示する。ディスク１０２ａの配布者は、この広告報酬の発生状況確認画面上で、自身の過去の報酬の発生履歴と、自身の広告報酬額の少なくとも一方を確認することができる。
【００４０】
制御装置２０３は、ディスク１０２ａの配布者から要求された情報を閲覧先の情報端末１００に送信することにより、ディスク１０２ａの配布者は、自身の広告報酬の発生状況を確認することができる。例えば、ディスク１０２ａの配布者が広告報酬の発生状況確認画面上で、自身の過去の報酬の発生履歴の閲覧を要求した場合には、制御装置２０３は、記録装置２０４からその配布者のＩＤに関連付けられて記録されている広告報酬の履歴に関する情報を読み出して閲覧先の情報端末１００に送信する。あるいは、ディスク１０２ａの配布者が広告報酬の発生状況確認画面上で、自身の広告報酬額の閲覧を要求した場合には、制御装置２０３は、記録装置２０４からその配布者のＩＤに関連付けられて記録されている広告報酬の集計結果に関する情報を読み出して、閲覧先の情報端末１００に送信する。送信された情報は、ディスク１０２ａの配布者が所持する情報端末１００の制御装置１０３によってモニタ１０５上に表示される。
【００４１】
図６は、本実施の形態におけるサーバー２００の処理を示すフローチャートである。図６に示す処理は、サーバー２００の管理者によってサーバー２００の電源がオンされると起動するプログラムとして、制御装置２０３によって実行される。
【００４２】
ステップＳ１１０において、制御装置２０３は、情報端末１００から広告用ＷＥＢサイトへのアクセスがあったか否かを判断する。ステップＳ１１０で否定判断した場合には、後述するステップＳ１５０へ進む。これに対して、ステップＳ１１０で肯定判断した場合には、ステップＳ１２０へ進む。
【００４３】
ステップＳ１２０では、制御装置２０３は、アクセスに用いられた広告コードに含まれる配布者特定情報に基づいて、広告用ＷＥＢサイトへのアクセスに用いられたディスク１０２ａの配布者を特定する。その後、ステップＳ１３０へ進む。
【００４４】
ステップＳ１３０では、制御装置２０３は、広告用ＷＥＢサイトへのアクセス者によって広告報酬の発生条件を満たす操作が行われたか否かを判断する。ステップＳ１３０で否定判断した場合には、後述するステップＳ１５０へ進む。これに対して、ステップＳ１３０で肯定判断した場合には、ステップＳ１４０へ進む。
【００４５】
ステップＳ１４０では、制御装置２０３は、広告用ＷＥＢサイトへのアクセスに用いられたディスク１０２ａの配布者に対して広告報酬を発生させ、その発生履歴を記録装置２０４に記録する。その後、ステップＳ１５０へ進む。
【００４６】
ステップＳ１５０では、制御装置２０３は、広告報酬の集計タイミングとなったか否かを判断する。ステップＳ１５０で否定判断した場合には、後述するステップＳ１８０へ進む。これに対して、ステップＳ１５０で肯定判断した場合には、ステップＳ１６０へ進む。
【００４７】
ステップＳ１６０では、制御装置２０３は、記録装置２０４に記録されている広告報酬の履歴に基づいて、ディスク１０２ａの配布者ごとに広告報酬の集計を行って、集計結果を記録装置２０４へ記録する。その後、ステップＳ１７０へ進む。
【００４８】
ステップＳ１７０では、制御装置２０３は、上述したように、ディスク１０２ａの配布者への広告報酬の支払い処理を行う。その後、ステップＳ１８０へ進む。
【００４９】
ステップＳ１８０では、制御装置２０３は、ディスク１０２ａの配布者から広告報酬の発生状況の確認要求があったか否かを判断する。ステップＳ１８０で否定判断した場合には、後述するステップＳ２００へ進む。これに対して、ステップＳ１８０で肯定判断した場合には、ステップＳ１９０へ進む。
【００５０】
ステップＳ１９０では、制御装置２０３は、ディスク１０２ａの配布者から要求された情報を閲覧先の情報端末１００に送信する。その後、ステップＳ２００へ進む。
【００５１】
ステップＳ２００では、制御装置２０３は、サーバー２００の電源がオフされたか否かを判断する。ステップＳ２００で否定判断した場合には、ステップＳ１１０へ戻る。これに対して、ステップＳ２００で肯定判断した場合には、処理を終了する。
【００５２】
以上説明した本実施の形態によれば、以下のような作用効果を得ることができる。
（１）情報端末１００の制御装置１０３は、広告用ＷＥＢサイトへの自動アクセス用情報と、ディスク１０２ａを配布した配布者を特定するための配布者特定情報とを含んだ広告コードを記録したディスク１０２ａがドライブ装置１０２によって読み取られたときに、広告コードを用いて広告用ＷＥＢサイトの運営サーバーへアクセスして、モニタ１０５上に広告用ＷＥＢサイトを表示するようにした。また、サーバー２００の制御装置２０３は、情報端末１００から広告用ＷＥＢサイトへのアクセスがあった場合に、アクセスに用いられた広告コードに含まれる配布者特定情報に基づいて、アクセスに用いられたディスク１０２ａの配布者を特定し、特定したディスク１０２ａの配布者によって広告用ＷＥＢサイトへのアクセスが誘導されたアクセス者による操作が、ディスク１０２ａの配布者に対する広告報酬の発生条件を満たしたときに、ディスク１０２ａの配布者に対する広告報酬を発生させるようにした。これによって、ディスク１０２ａ内に記録された広告コードに含まれる自動アクセス用情報に基づいて、自動的に広告用ＷＥＢサイトの運営サーバーへアクセスさせることができるため、容易に閲覧者を広告用ＷＥＢサイトへ誘導することができる。また、サーバー２００では、広告コードに含まれる配布者特定情報に基づいてディスク１０２ａの配布者を特定して、容易に配布者に対する報酬発生の検出を行うことができる。
【００５３】
（２）サーバー２００の制御装置２０３は、広告報酬の発生履歴をディスク１０２ａの配布者ごとに記録しておき、所定のタイミングで、広告報酬の発生履歴を集計し、集計結果に基づいて、記録媒体の配布者に対する広告報酬額を算出するようにした。これによって、あらかじめ設定されたタイミングで自動的にディスク１０２ａの配布者ごとの報酬額を集計することができるため、報酬額の管理を容易に行うことができる。
【００５４】
（３）サーバー２００の制御装置２０３は、情報端末１００からの要求に応じて、報酬の発生履歴と、広告報酬額の少なくとも一方を報酬情報として情報端末へ送信するようにした。そして、情報端末１００の制御装置１０３は、サーバー２００から受信した報酬情報をモニタ１０５に表示するようにした。これによって、ディスク１０２ａの配布者は、自身の広告報酬の発生状況を容易に確認することができる。
【００５５】
（４）サーバー２００の制御装置２０３は、アクセス者が広告用ＷＥＢサイト上で決済操作を行ったときに、ディスク１０２ａの配布者に対する広告報酬の発生条件を満たしたと判定するようにした。これによって、広告主に対して実際の売り上げがあったときに、その報酬として広告報酬を発生させることができる。
【００５６】
（５）ディスク１０２ａの配布者に対して発生させる広告報酬の額は、例えば、決済額に対する所定の割合となるように設定するようにした。これによって、広告報酬の額を明確なルールのもとに決定することができる。
【００５７】
（６）ディスク１０２ａには、広告用ＷＥＢサイトへの自動アクセス用情報と、ディスク１０２ａを配布した配布者を特定するための配布者特定情報とを含んだ広告コードをヘッダ部に記録した自動実行用ＨＴＭＬファイルと、ディスク１０２ａが読み取られたときに、自動実行用ＨＴＭＬファイルを自動起動させるための情報を記載したａｕｔｏｒｕｎ．ｉｎｆとを記録するようにした。これによって、広告主からの広告報酬を希望する者は、配布者特定情報として自身のＩＤを記録したディスク１０２ａを配布するだけで、容易に閲覧者を広告用ＷＥＢサイトへアクセスさせることができる。
【００５８】
―変形例―
なお、上述した実施の形態の在庫管理装置は、以下のように変形することもできる。
（１）上述した実施の形態では、制御装置２０３は、広告用ＷＥＢサイトへのアクセス者がそのサイトに掲載されている商品やサービスを購入し、決済処理を行ったときに、広告報酬の発生条件を満たしたと判定する例について説明した。しかしながら、広告報酬の発生条件は、広告主の希望により任意に設定することができる。例えば、制御装置２０３は、広告用ＷＥＢサイトへのアクセス者がそのサイトに掲載されている商品やサービスについて資料請求をしたり、問い合わせをしたりしたときに、広告報酬の発生条件を満たしたと判定するようにしてもよい。あるいは、サイト上に配置されているリンクやボタンなどをクリックしたときに、広告報酬の発生条件を満たしたと判定するようにしてもよい。また、そのときに発生させる広告報酬の額も広告主の希望により任意に設定することができる。例えば、資料請求、問い合わせ、リンクやボタンのクリックが１回されるごとに所定額の報酬を発生させれば良い。このとき、資料請求、問い合わせ、リンクのクリック、ボタンのクリックなど、それぞれの操作に対する報酬額を個別に設定できるようにしてもよい。
【００５９】
（２）上述した実施の形態では、情報端末１００としてパーソナルコンピュータを用いる例について説明したが、これに限定されない。例えば、携帯電話やスマートフォン等の携帯情報端末や、その他の情報端末を用いてもよい。
【００６０】
（３）上述した実施の形態では、ディスク１０２ａとしてＣＤ−ＲＯＭを用いる例について説明した。しかしながら、ＤＶＤ−ＲＯＭ、ＤＶＤ−Ｒ、ＢＤ−ＲＯＭ、ＢＤ−Ｒ等の他のディスク状の記録媒体を用いてもよい。あるいは、ＵＳＢメモリやＳＤカード等の他の記録媒体を用いる場合にも本発明は適用可能である。
【００６１】
（４）ディスク１０２ａの配布者は、情報端末１００と同様の構成の装置を用いて、上述した実施の形態で用いるディスク１０２ａを作成できるようにしてもよい。例えば、該装置にディスク１０２ａを作成するためのアプリケーションをインストールしておき、制御装置１０３は、広告用ＷＥＢサイトへの自動アクセス用情報と、ディスク１０２ａを配布した配布者を特定するための配布者特定情報とを含んだ広告コードの指定を受け付け、ディスク１０２ａが情報端末１００で読み取られたときに、上記受け付けた広告コードを用いて広告用ＷＥＢサイトへ自動アクセスさせるための情報をａｕｔｏｒｕｎ．ｉｎｆに記録したディスク１０２ａを作成するようにすればよい。
【００６２】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００６３】
１０  広告表示システム、１００  情報端末、１０１、２０１  操作部材、１０２  ドライブ装置、１０２ａ  ディスク、１０３、２０３  制御装置、１０４、２０４  記録装置、１０５、２０５  モニタ、１０６、２０２  通信装置、２００  サーバー
【図１】
2014059785.tif 000003
【図２】
2014059785.tif 000004
【図３】
2014059785.tif 000005
【図４】
2014059785.tif 000006
【図５】
2014059785.tif 000007
【図６】
2014059785.tif 000008